(57)【要約】【課題】  従来のバットの構成で打者の打撃力が発揮されない原因としては、ボールの変形による打撃力の減少であり、この発明は、このような従来の野球バットの短所を克服するための、バットでボールを打った際に発生するボールの衝撃を抑制し、打撃力を向上し、打球の飛距離を伸ばす野球用バットを得ることを目的とするものである。【解決手段】  本体１０と円筒体２０で構成され、打球部１２となる円筒体２０と芯部１３の間には、深さＳの空洞１４が形成され、空洞１４の環状の端部１５が空洞１４の両終端部となり、円筒体２０はＦＲＰ、金属、プラスチックなどで形成され、予め定められた厚み２１を有し、その両端を前記端部１５で固定したことを特徴とする野球用バット。【選択図】図１
2007325900.tif 000002
【特許請求の範囲】
【請求項１】
本体と円筒体で構成され、打球部となる円筒体と本体の芯部の間には、所定の深さの空洞を形成する凹部を設け、凹部の環状の端部が空洞の両終端部となり、円筒体はＦＲＰ、金属、プラスチックなどで形成され、予め定められた厚みを有し、その両端を前記端部で固定したことを特徴とする野球用バット。
【請求項２】
弾性リングを、本体の芯部の外周に配置したことを特徴とする請求項１記載の野球用バット。
【請求項３】
弾性体リングを断続的に芯部の外周に配置したことを特徴とする請求項１記載の野球用バット。
【請求項４】
本体と円筒状体部分を一体成型した構成とし、本体の芯部は中空状部となり、打球部の空洞の内側にある材の厚さは、外側の厚みよりも大きくしたことを特徴とする野球用バット。
【請求項５】
透明なフィルムを打球部の表面に被覆したことを特徴とする請求項１乃至請求項４のいずれかに記載の野球用バット。
【発明の詳細な説明】
【技術分野】
【０００１】  この発明は、野球用バットに関するものである。
【背景技術】
【０００２】  従来の野球用バット１は図９に示すように、グリップ部１Ａと打球部１Ｂで構成されており、それはグリップ部１Ａから打球部１Ｂにかけて徐々に直径が増加している。バットの構造材としては、木、アルミニウム、ＦＲＰ（強化プラスチック）などが選ばれている。打球部１Ｂは中空もしくは中実のものがあるが、それには関係なく、グリップ部１Ａと打球部１Ｂは剛体として一体成形されている。ボール２が投げられる平均速度が８０〜９０ｋｍ／ｈｒ、最大では１００〜１３０Ｋｍ／ｈｒであり、打球部１Ｂにボール２が衝突し、ボール２の側面は変形する（ボール２の側面は図示数字２Ａから数字２Ｂへと変形する）。このようなボール２の変形により、ボール２の衝撃力（反発し飛球する力）は大きく低下する。したがって打者がボール２を打ったときの打撃力は、ボール２の変形により制限されることとなる。その上、ボール２の弾道は予測できないものとなる（図示二点鎖線で示すように）。このようなことから、しばしば打者が望むとおりの方向にボール２は飛んでいかない。これによって従来のバットでは打者の力を最大限に発揮されることができない。その原因はボールの変形による打撃力の減少であり、これはひとえに前記の従来のバットの構成に起因している。
【発明の開示】
【発明が解決しようとする課題】
【０００３】  従来のバットの構成で打者の打撃力が発揮されない原因としては、ボールの変形による打撃力の減少であり、この発明は、このような従来の野球バットの短所を克服するための、バットでボールを打った際に発生するボールの衝撃を抑制し、打撃力を向上し、打球の飛距離を伸ばす野球用バットを得ることを目的とするものである。
【課題を解決するための手段】
【０００４】  本体１０と円筒体２０で構成され、打球部１２となる円筒体２０と芯部１３の間には、深さＳの空洞１４が形成され、空洞１４の凹部の環状の端部１５が空洞１４の両終端部となり、円筒体２０はＦＲＰ、金属、プラスチックなどで形成され、予め定められた厚み２１を有し、その両端を端部１５で固定したことを特徴とする野球用バットであり、打球部１２の円周上に凹部を設け、その凹部を弾性のある円筒体２０で確実に被覆し、弾性体のある円筒２０が凹部を囲むように本体１０に両端を固定して吊られた状態として空洞１４を設けることにより、打球部１２のボール２による衝撃で弾性のある円筒体２０が変形することで、ボール２の衝撃を吸収する。また本体１０に弾性リング１６を、本体１０の芯部１３の外周に配置したことを特徴とする前記記載の野球用バット、弾性体リング１６を断続的に芯部１３の外周に配置したことを特徴とする前記記載の野球用バットの構成により、ボール２による本体１０へのショックを減少し、打者はよりよい握り具合を実現できる。また本体１０と円筒状体部分２０’を一体成型し、芯部は中空状部１３’となり、打球部１２の空洞１４の内側にある材の厚さｔは、外側の厚みよりも大きくしたことを特徴とする野球用バットの構成は、ボール２の衝撃による変形の回復が早くなる。さらに透明なフィルム２２を打球部１２の表面に被覆したことを特徴とする前記記載の野球用バットの構成は、外観の美しさを向上させることに役立つ。
【発明の効果】
【０００５】  この発明の野球用バットは、軟式野球、ソフトボールなどの競技に使用されるもので、バットに直接ボールが当たる打球部円周に凹部を設け、その凹部に一定の空間を設けながら弾力性のある円筒体を被覆し、打球部に設けた円筒体にボールが当たることにより、この円筒体が変形し、ボールの衝撃を吸収する。さらにボールに伝わる衝撃が弾性力のある円筒体の変形により遅れが生じ、しっかりとした弾道でバットよりボールが放たれる。さらにボールを打ったときの衝撃は、弾性力のある円筒体が変形することにより大幅に保存され、打撃後のボールの飛距離が向上する。
【発明を実施するための最良の形態】
【実施例１】
【０００６】  この発明の野球用バットは図１〜図３において示すように、本体１０と円筒体２０で構成される。本体１０の打球部１２からグリップ部１１に近くなるにつれて細くなっている。打球部１２において円筒体２０と芯部１３の間には、深さＳの空洞１４が［後述のように］形成されるように、本体１０に凹部が形成され、両方の環状の路肩となる端部１５が空洞１４の終端部となっている。円筒体２０は予め定められた厚み２１［図２参照］があり、その両端を本体１０の二つの端部１５を路肩として確実に固定される。円筒体２０は、ＦＲＰ、金属、プラスチックなどで形成され、円筒体２０がＦＲＰで成形されるときは、ボール２が衝撃後に最大の回復力を持つために、厚み２１は０．０４〜１ｍｍの範囲、円筒体２０が金属材の場合、厚み２１は０．５〜１．６ｍｍの範囲、さらに円筒体２０がプラスチック材の場合、厚み２１を０．８〜２．５ｍｍの範囲に設定することで、打撃後の衝撃による最大限の回復力を期待することができる。【０００７】  前記のように円筒体２０の両端を本体１０の両方の端部１５へ確実に固定する。それによって打球部１２となる円筒体２０と、芯部１３との間に空洞１４が出現する（この空洞の深さは実際には３〜２０ｍｍである）。さらに外観の美しさを向上させるために、透明なフィルム２２を打球部１２の表面に施す。これは後述の実施例２、同３においても同様である。
【実施例２】
【０００８】  図４に示すのは他の実施例であって、それは同じく本体１０と円筒体２０からなり、弾性リング１６を、本体１０の芯部１３の外周に設置し、これによってボール２により作用する本体１０へのショックを減少させる。この実施例によれば打者はよりよい握り具合を得ることができる。図５のように弾性体リング１６を断続的に芯部１３の外周に取り付けることで、さらにショック吸収効果が生まれる。
【実施例３】
【０００９】  図６は本体１０と円筒状体部分２０’を一体成型した構成である。この場合、前記の芯部１３の箇所は中空状部１３’となっている。打球部１２の空洞１４の内側にある材の厚みｔは外側の厚み２１’よりも大きい。望ましい厚みｔは２ｍｍである。【００１０】  この発明の野球用バットを使用したときの状態を図７、図８を参照として説明する。図１でのべた本体１０の打球部１２に飛んできたボール２が衝突するとき、このボール２の衝撃力Ｆは二つの端部１５で支えられた打球部１２の反力より大きい。図７のように、打球部１２は円筒体２０の空洞部１４を経て芯部１３まで変形する。すなわちこの構造により円筒体２０の変形が緩衝機能として働き、ボール２の変形を抑制することができる。また図８に示すように、芯部１３で円筒体２０の変形を止める構成となり、本体１０には遅れてボール２の衝撃が伝わる。したがって本体１０はショック吸収効果を果たし、それにより弾道コントロールができることとなる。以上によってボール２の衝撃力Ｆは円筒体２０の変形により緩和され、本体１０からのヒットパワーＰによる相乗効果によりボール２の飛距離は増加する。
【図面の簡単な説明】
【００１１】
【図１】この発明の野球用バットの断面図。
【図２】この発明の野球用バットの分解斜視図。
【図３】この発明の野球用バットの斜視図。
【図４】この発明の野球用バットの他の実施例の縦断面図。
【図５】この発明の野球用バットのさらに他の実施例の縦断面図。
【図６】この発明の野球用バットのさらに他の実施例の縦断面図。
【図７】この発明の野球用バットにおける衝撃が加わる時の打球部の表面の状態を示す図。
【図８】この発明の野球用バットにおける衝撃が加わった後の打球部の表面の状態を示す図。
【図９】従来の野球用バットの構成で、ボールが変形する状態を示す図。
【符号の説明】
【００１２】  ２    ボール
１０    本体
２０    円筒体
２０’  円筒状体部分
１１    グリップ部
１２    打球部
１３    芯部
１３’  中空状部
１４    空洞
１５    端部
１６    弾性リング
２１，２１’  厚み
２２    フィルム
【図１】
2007325900.tif 000003
【図２】
2007325900.tif 000004
【図３】
2007325900.tif 000005
【図４】
2007325900.tif 000006
【図５】
2007325900.tif 000007
【図６】
2007325900.tif 000008
【図７】
2007325900.tif 000009
【図８】
2007325900.tif 000010
【図９】
2007325900.tif 000011